【手続補正書】
【提出日】令和1年5月21日(2019.5.21)
【手続補正１】
【補正対象書類名】特許請求の範囲
【補正対象項目名】全文
【補正方法】変更
【補正の内容】
【特許請求の範囲】
【請求項１】
電波を出力して近傍のタグ回路からデータを取得可能な近距離無線通信回路と、
前記近距離無線通信回路を介して取得したデータに所定の情報が含まれていることに基づいて前記電波の出力調整を行う手段と、
を有することを特徴とする情報処理装置。
【請求項２】
前記出力調整は前記電波の強度調整であることを特徴とする請求項１に記載の情報処理装置。
【請求項３】
前記強度調整は、前記電波の強度を弱くする調整であることを特徴とする請求項２に記載の情報処理装置。
【請求項４】
前記出力調整は前記電波の出力タイミングの調整であることを特徴とする請求項１に記載の情報処理装置。
【請求項５】
前記出力調整後に、前記近距離無線通信回路の動作確認を促す画面を表示部に表示させる手段を有することを特徴とする請求項１乃至４のいずれか１項に記載の情報処理装置。
【請求項６】
前記促す画面はＮＦＣカードの近接操作を促す画面であることを特徴とする請求項５に記載の情報処理装置。
【請求項７】
前記出力調整後の所定の期間中に前記近距離無線通信回路によるＮＦＣカードの読み取り処理が実行されなかったことに基づいて前記電波の更なる出力調整を行うことを特徴とする請求項１乃至６のいずれか１項に記載の情報処理装置。
【請求項８】
近距離無線通信を用いてデータを送信可能な内蔵タグ回路と、
前記出力調整後の所定の期間中に前記近距離無線通信回路によるＮＦＣカードの読み取り処理が実行されなかったことに基づいて、前記内蔵タグ回路によるデータ送信を禁止する手段と、を有することを特徴とする請求項１乃至７のいずれか１項に記載の情報処理装置。
【請求項９】
近距離無線通信を用いてデータを送信可能な内蔵タグ回路と、
前記内蔵タグ回路によるデータの送信が不能で且つ前記近距離無線通信回路による電波の出力が可能な第１の状態と、前記内蔵タグ回路によるデータの送信が可能で且つ前記近距離無線通信回路による電波の出力が不能な第２の状態と、を周期的に切り替える手段と、を有することを特徴とする請求項１乃至７のいずれか１項に記載の情報処理装置。
【請求項１０】
前記所定の情報はデータ送信元のタグ回路が前記情報処理装置に設けられた内蔵タグ回路であることを示す情報であることを特徴とする請求項１乃至９のいずれか１項に記載の情報処理装置。
【請求項１１】
前記所定の情報はデータ送信元のタグ回路のデバイス情報であることを特徴とする請求項１乃至１０のいずれか１項に記載の情報処理装置。
【請求項１２】
前記タグ回路はＮＦＣタグであり、
前記近距離無線通信回路はＮＦＣリーダライタであることを特徴とする請求項１乃至１１のいずれか１項に記載の情報処理装置。
【請求項１３】
電波を出力して近傍のタグ回路からデータを取得可能な近距離無線通信回路を備える情報処理装置の制御方法であって、前記近距離無線通信回路を介して取得したデータに所定の情報が含まれていることに基づいて前記電波の出力調整を行う工程を有することを特徴とする制御方法。
【請求項１４】
電波を出力して近傍のタグ回路からデータを取得可能な近距離無線通信回路を備える情報処理装置の制御方法をコンピュータに実行させるプログラムであって、前記制御方法は、前記近距離無線通信回路を介して取得したデータに所定の情報が含まれていることに基づいて前記電波の出力調整を行う工程を有することを特徴とするプログラム。
【請求項１５】
電波を出力して近傍のタグ回路からデータを取得可能な近距離無線通信回路と、
情報を表示する表示部と、
前記近距離無線通信回路を介して取得したデータに所定の情報が含まれていることに基づいて、前記電波の出力調整を促す画面を前記表示部に表示させる手段と、
を有することを特徴とする情報処理装置。
【請求項１６】
前記出力調整は前記電波の強度調整であることを特徴とする請求項１５に記載の情報処理装置。
【請求項１７】
前記強度調整は、前記電波の強度を弱くする調整であることを特徴とする請求項１６に記載の情報処理装置。
【請求項１８】
前記出力調整は前記電波の出力タイミングの調整であることを特徴とする請求項１５に記載の情報処理装置。
【請求項１９】
前記出力調整後に、前記近距離無線通信回路の動作確認を促す画面を前記表示部に表示させる手段を有することを特徴とする請求項１５乃至１８のいずれか１項に記載の情報処理装置。
【請求項２０】
前記促す画面はＮＦＣカードの近接操作を促す画面であることを特徴とする請求項１９に記載の情報処理装置。
【請求項２１】
前記出力調整後の所定の期間中に前記近距離無線通信回路によるＮＦＣカードの読み取り処理が実行されなかったことに基づいて前記電波の更なる出力調整を行うことを特徴とする請求項１５乃至２０のいずれか１項に記載の情報処理装置。
【請求項２２】
近距離無線通信を用いてデータを送信可能な内蔵タグ回路と、
前記出力調整後の所定の期間中に前記近距離無線通信回路によるＮＦＣカードの読み取り処理が実行されなかったことに基づいて、前記内蔵タグ回路によるデータ送信を禁止する手段と、を有することを特徴とする請求項１５乃至２１のいずれか１項に記載の情報処理装置。
【請求項２３】
近距離無線通信を用いてデータを送信可能な内蔵タグ回路と、
前記内蔵タグ回路によるデータの送信が不能で且つ前記近距離無線通信回路による電波の出力が可能な第１の状態と、前記内蔵タグ回路によるデータの送信が可能で且つ前記近距離無線通信回路による電波の出力が不能な第２の状態と、を周期的に切り替える手段と、を有することを特徴とする請求項１５乃至２１のいずれか１項に記載の情報処理装置。
【請求項２４】
前記所定の情報はデータ送信元のタグ回路が前記情報処理装置に設けられた内蔵タグ回路であることを示す情報であることを特徴とする請求項１５乃至２３のいずれか１項に記載の情報処理装置。
【請求項２５】
前記所定の情報はデータ送信元のタグ回路のデバイス情報であることを特徴とする請求項１５乃至２４のいずれか１項に記載の情報処理装置。
【請求項２６】
前記タグ回路はＮＦＣタグであり、
前記近距離無線通信回路はＮＦＣリーダライタであることを特徴とする請求項１５乃至２５のいずれか１項に記載の情報処理装置。
【請求項２７】
電波を出力して近傍のタグ回路からデータを取得可能な近距離無線通信回路と情報を表示する表示部とを備える情報処理装置の制御方法であって、前記近距離無線通信回路を介して取得したデータに所定の情報が含まれていることに基づいて、前記電波の出力調整を促す画面を前記表示部に表示させる工程を有することを特徴とする制御方法。
【請求項２８】
電波を出力して近傍のタグ回路からデータを取得可能な近距離無線通信回路と情報を表示する表示部とを備える情報処理装置の制御方法をコンピュータに実行させるプログラムであって、前記制御方法は、前記近距離無線通信回路を介して取得したデータに所定の情報が含まれていることに基づいて、前記電波の出力調整を促す画面を前記表示部に表示させる工程を有することを特徴とするプログラム。
【手続補正２】
【補正対象書類名】明細書
【補正対象項目名】０００５
【補正方法】変更
【補正の内容】
【０００５】
本実施形態の情報処理装置は、電波を出力して近傍のタグ回路からデータを取得可能な近距離無線通信回路と、前記近距離無線通信回路を介して取得したデータに所定の情報が含まれていることに基づいて前記電波の出力調整を行う手段と、を有する。